(57)【特許請求の範囲】
【請求項１】
スペーサであって、
棒状の軸部と、
前記軸部に連接され、前記軸部を支える複数の脚部とを有し、
前記軸部は、
折れ曲がっている折曲がり部分を1箇所のみ有し、当該折れ曲がり部分を端部として一方の辺の長さをＬ１、他方の辺の長さをＬ２としたとき、Ｌ１及びＬ２が±２０％の範囲内である
ことを特徴とするスペーサ。
【請求項２】
前記スペーサは、
直線状態からの軸の折れ曲がり角度が３０〜７５°である
ことを特徴とする請求項１に記載のスペーサ。
【請求項３】
前記軸部は、
予め組み上げてある鉄筋ユニットが展開して載置される
ことを特徴とする請求項２に記載のスペーサ。
【請求項４】
前記脚部は、
逆Ｕ字、逆Ｖ字、逆Ｙ字、２枚の板状でなる
ことを特徴とする請求項３に記載のスペーサ。
【請求項５】
前記スペーサは、
土間又はスラブ鉄筋として床を形成する際に使用される
ことを特徴とする請求項４に記載のスペーサ。
【請求項６】
真っ直ぐな棒状の軸部と、前記軸部に連接され、前記軸部を支える複数の脚部とを有するスペーサの軸部において、
折れ曲がり部分を端部として一方の辺の長さをＬ１、他方の辺の長さをＬ２としたとき、Ｌ１及びＬ２が±２０％の範囲内に前記折曲がり部分が位置するように、軸部の1箇所のみを折り曲げる
ことを特徴とするスペーサ製造方法。
【請求項７】
施工現場において、
棒状の軸部と、前記軸部に連接され、前記軸部を支える複数の脚部とを有し、前記軸部は、折れ曲がっている折曲がり部分を1箇所のみ有し、当該折れ曲がり部分を端部として一方の辺の長さをＬ１、他方の辺の長さをＬ２としたとき、Ｌ１及びＬ２が±２０％の範囲内であるスペーサを所定間隔で並べ、
前記スペーサ上でスラブ鉄筋を組み上げる
ことを特徴とするスラブ鉄筋組み上げ方法。
【請求項８】
予め組み上げてある鉄筋ユニットを展開して載置し、
前記載置された鉄筋ユニット同士を接続することにより、
前記スペーサ上でスラブ鉄筋を組み上げる
ことを特徴とする請求項７に記載のスペーサ。
【発明の詳細な説明】
【技術分野】
【０００１】
本発明は、網目状に組まれるスラブ鉄筋を、下型枠から離間する状態に支持するのに使用可能なスペーサ、スペーサ製造方法及びスラブ鉄筋組上げ方法に関するものである。
【背景技術】
【０００２】
従来、スラブ、土間工事などに使用されるスペーサとしては、例えば真っ直ぐな棒状の軸部に対して、逆Ｕの字状の脚部が複数取り付けられたものが一般的に広く用いられている（例えば特許文献１参照）。
【先行技術文献】
【特許文献】
【０００３】
【特許文献１】特開２０００−１６０７６９号公報
【発明の概要】
【発明が解決しようとする課題】
【０００４】
かかるスペーサとしては、軸部に対して垂直方向からの力が加わると横転し易く、使い勝手が悪いという問題があった。
【０００５】
本発明はこのような問題を解決するためになされたもので、その目的は、使い勝手の良いスペーサ、スペーサ製造方法及びスラブ鉄筋組上げ方法を提供するものである。
【課題を解決するための手段】
【０００６】
かかる課題を解決するため、本発明のスペーサは、
棒状の軸部と、
前記軸部に連接され、前記軸部を支える複数の脚部とを有し、
前記軸部は、
折れ曲がっている折曲がり部分を1箇所のみ有し、当該折れ曲がり部分を端部として一方の辺の長さをＬ１、他方の辺の長さをＬ２としたとき、Ｌ１及びＬ２が±２０％の範囲内であるようにした。
【０００７】
これにより、スペーサは、軸部が真っ直ぐな従来型スペーサと比較して、多方向からの荷重に対する安定性を向上させることができる。    
【０００８】
また、本発明のスペーサ製造方法は、真っ直ぐな棒状の軸部と、前記軸部に連接され、前記軸部を支える複数の脚部とを有するスペーサの軸部において、
折れ曲がり部分を端部として一方の辺の長さをＬ１、他方の辺の長さをＬ２としたとき、Ｌ１及びＬ２が±２０％の範囲内に前記折曲がり部分が位置するように、軸部の1箇所のみを折り曲げる。
【０００９】
これにより、スペーサ製造方法は、安定性の向上したスペーサを簡易な工程を追加するのみで製造することができる。
【００１０】
さらに、施工現場において、棒状の軸部と、前記軸部に連接され、前記軸部を支える複数の脚部とを有し、前記軸部は、折れ曲がっている折曲がり部分を1箇所のみ有し、当該折れ曲がり部分を端部として一方の辺の長さをＬ１、他方の辺の長さをＬ２としたとき、Ｌ１及びＬ２が±２０％の範囲内であるスペーサを所定間隔で並べ、
前記スペーサ上でスラブ鉄筋を組み上げるようにした。
【００１１】
これにより、スラブ鉄筋組上げ方法では、安定性の向上したスペーサを用いることができるため、スペーサの横転の恐れが小さく、スラブ鉄筋組上げ工程における作業を簡易にすることができる。
【発明の効果】
【００１２】
本発明は、軸部が真っ直ぐな従来型スペーサと比較して、多方向からの荷重に対する安定性を向上させることができ、かくしてユーザの使い勝手の良いスペーサ、スペーサ製造方法及びスラブ鉄筋組上げ方法を実現できる。
【００１３】
本発明は、安定性の向上したスペーサを簡易な工程を追加するのみで製造することができ、かくしてユーザの使い勝手の良いスペーサ製造方法を実現できる。
【００１４】
本発明は、安定性の向上したスペーサを用いることができるため、スペーサの横転の恐れが小さく、スラブ鉄筋組上げ工程における作業を簡易にすることができ、かくしてユーザの使い勝手の良いスラブ鉄筋組上げ方法を実現できる。
【図面の簡単な説明】
【００１５】
【図１】本実施の形態のスペーサの構成を示す略線図である。
【図２】折れ曲がりの角度の説明に供する略線図である。
【図３】スラブ鉄筋の組上げの説明に供する略線図である。
【発明を実施するための形態】
【００１６】
次に本発明を実施するための形態について図面を参照して説明する。
【００１７】
図１における１は、全体としてスペーサを示している。スペーサ１は、軸部２と、当該軸部２に連接する５つの脚部３とを有している。
【００１８】
図２に示すように、軸部２は、ほぼ中心で折れ曲がっている。ほぼ中心とは、折れ曲がり部分を端部とした一方の辺の長さをＬ１、他方の辺の長さをＬ２としたとき、Ｌ１及びＬ２が±２０％の範囲内であることをいう。軸部２がほぼ中心で折れ曲がることにより、荷重が加えられたときに均等に力を受けることができ、横転しづらくなるため、好ましい。
【００１９】
折れ曲がりの角度αに特に制限はないが、２０°〜９０°（２０°以上、９０°以下：以下、同様の意味で〜を使用する）であることが好ましい。角度αが２０°未満だと、横転しづらい効果が十分でなく、９０°を越えると、スペーサ１のスラブ鉄筋９９を受け止める範囲が小さくなるため、好ましくない。より好ましくは、３０°〜７５°である。なお、折れ曲がり角度αとは、直線状態からの軸の折れ曲がり角度をいう。
【００２０】
軸部２の材質に特に制限はなく、金属やプラスチック、及びこれらの組み合わせなどが使用される。好ましくは、鉄や合金などの剛性のある金属で形成される。軸部２の径にも制限はなく、使用された材料に応じて、スラブ鉄筋９９を支えることができる強度を保てるように設計される。
【００２１】
脚部３（図１）は、例えば逆Ｕ字形状を有しており載置面から軸部２までの距離を一定に保つ役割を担う。脚部３が鉄など腐食性の材料で形成される場合、その下部に防錆加工が施されることが好ましい。また、脚部３の材質に制限はなく、プラスチックや金属材料、及びこれらの組み合わせで形成される。脚部３の形状にも制限はなく、例えば逆Ｖ字や逆Ｙの字、２枚の板状、ブロック状など、使用された材料に応じて、スラブ鉄筋９９を支えることができる強度を保てるように設計される。
【００２２】
スペーサ１の製造方法に特に制限はなく、公知の手法を用いることができる。例えば、軸部が真っ直ぐな従来型スペーサを折り曲げても良く、予め曲がった軸部に対して脚部３を取り付けてもよい。また、射出成形などで一体形成することも可能である。
【００２３】
スペーサ１は、スラブ鉄筋９９を組み上げる際に使用される。所定の間隔で載置されたスペーサ１の軸部２の上にスラブ鉄筋９９が組み上げられ、コンクリート表面からスラブ鉄筋９９までのかぶり厚さを一定以上確保するために使用される。
【００２４】
ところで、特許文献２には、ゴムを使った特殊な留め具で鉄筋同士を止めることにより、鉄筋を折りたたむ工法が記載されている。すなわち、工場で組立てた鉄筋（以下、これを鉄筋ユニットと呼ぶ）９０を折りたたんだ状態で運搬することができるため、現場において設置のみを行うことができる。言い換えると、この工法を使用することにより鉄筋工が不要となり、作業時間も短縮できるため建築費用を低減することが可能となる。
【００２５】
【特許文献２】特許登録第４７０１４４３号
【００２６】
図３に示すように、スペーサ１は、互いに離間した状態で配置される。その上に、予め格子状に組み上げられた鉄筋ユニット９０が、展開された状態で載置される。
【００２７】
このとき、スペーサ１は、１つの鉄筋ユニット９０を４以上のスペーサ１で受けるように配置される。
【００２８】
ここで、鉄筋ユニット９０を載置する際、吊下具を使用してクレーンで鉄筋ユニット９０を載置することになる。鉄筋ユニット９０は、大きな面積を有するため、水平方向に僅かに傾きが生じてしまう。
【００２９】
鉄筋ユニット９０を載置する際、この傾きをコントロールすることは難しく、どうしてもスペーサ１の一方向に対して、大きな荷重がかかってしまう。
【００３０】
真っ直ぐな軸部を有する従来型スペーサは、この大きな荷重に耐えることができず、横転してしまうことがあった。横転の度に、作業員は従来型スペーサを逐次起こさねばならず、作業が繁雑となっていた。
【００３１】
また、鉄筋ユニット９０は、一旦スペーサ１に載置された後に、当該鉄筋ユニット９０をずらすようにして位置の微調整を行うことが多い。従来型スペーサは、軸部に対して垂直方向な力が加わるとすぐに横転してしまい、横転の度に、作業員は従来型スペーサを逐次起こさねばならず、作業が繁雑となっていた。
【００３２】
本願発明のスペーサ１は、どの方向から荷重がかかっても安定しており、鉄筋ユニット９０が載置された場合であっても、横転することがなく、鉄筋ユニット９０を載置する作業を著しく簡易にすることが可能となった。
【００３３】
以上の構成によれば、スペーサ１は、棒状の軸部２と、軸部２に連接され、軸部２を支える複数の脚部３とを有し、軸部２は、折れ曲がっている。
【００３４】
これにより、スペーサ１は、安定性を増大させることができるため、水平方向のどの方向から荷重が加わった場合であっても、横転することなく、使い勝手を向上させることができる。
【００３５】
スペーサ１における軸部２は、ほぼ中心部分が、３０°〜９０°の角度で折れ曲がっている。これにより、スペーサ１は、軸部２の一辺に対して垂直方向の荷重を他辺で受け止めることができ、十分な安定感を発揮することができる。
【００３６】
スペーサ１における軸部２は、金属製である。これにより、スペーサ１は、重量のあるスラブ鉄筋９９を支える十分な強度を得ることができる。
【００３７】
スペーサ１には、予め組み上げてある鉄筋ユニット９０が展開して載置される。これにより、鉄筋ユニット９０を載置する時や、位置決め時にかかる大きな荷重に対して、折れ曲がりによって生じる安定性を存分に発揮することができる。
【００３８】
スペーサ１は、真っ直ぐな棒状の軸部と、軸部に連接され、軸部を支える複数の脚部とを有する従来型スペーサを折り曲げることにより形成される。
【００３９】
これにより、スペーサ１は、従来型スペーサの製造工程をそのまま使用することができ、簡易な工程で製造されることができる。
【００４０】
スペーサ１は、土間、スラブ工事においてスラブ鉄筋を形成する際に使用することができる。土間とは、下に空間が無い状態で床が形成されたものをいい、主にひび割れを防ぐためにスラブ鉄筋が使用される。また、スラブとは、下に空間がある状態で床が形成されたものをいい、構造上の強度を保つためにスラブ鉄筋が使用される。
【００４１】
本発明のスラブ鉄筋組上げ方法では、施工現場において、折れ曲がっている棒状の軸部と、軸部２に連接され、軸部２を支える複数の脚部３とを有するスペーサ１を所定間隔で並べ、スペーサ１上でスラブ鉄筋９９を組み上げる。
【００４２】
これにより、スペーサ１の横転を殆ど生じさせずに済むため、スラブ鉄筋９９の組み上げ工程を著しく簡易にすることができる。
【００４３】
予め組み上げてある鉄筋ユニット９０を展開して載置し、載置された鉄筋ユニット９０同士を接続することにより、スペーサ１上でスラブ鉄筋９９を組み上げる。
【００４４】
これにより、スラブ鉄筋組上げ方法では、スペーサ１の横転を殆ど生じさせずに済むため、鉄筋ユニット９０を展開して載置し、鉄筋ユニット９０同士を接続するだけの簡易な工程でスラブ鉄筋９９を組み上げることができ、スラブ鉄筋９９を組み上げる工程を著しく簡易にすることができる。
【００４５】
以上の構成によれば、スペーサ１において軸部２が折れ曲がっていることにより、スペーサとしての安定性を向上させて横転を未然に防止することができ、使い勝手を向上させることができる。
【００４６】
なお、上述した実施の形態において、軸部２は１カ所だけが折れ曲がっているようにした場合について述べた。本発明はこれに限らず、複数箇所が折れ曲がっていても本実施の形態と同様の効果を得ることができる。例えば、軸部２がコの字上やＵ字状、Ｚ字状に折れ曲げることができる。
【００４７】
さらに、上述した実施の形態において、スペーサ１上に鉄筋ユニット９０が載置されるようにした場合について述べた。本発明はこれに限らず、スペーサ１上に鉄筋を１本ずつ載置し、網目状に組み上げていく場合であっても、スペーサ１の安定性が向上し横転の恐れが低いため、作業の難易度を下げることができ、作業員の負担を軽減することが可能である。
【００４８】
また、上述した実施の形態において、スラブ鉄筋９９は格子状に組まれる場合について述べた。本発明はこれに限らず、スラブ鉄筋９９の構成に制限はなく、種々の構成のスラブ鉄筋９９をスペーサ１上で組み上げる際に使用できる。
【００４９】
さらに、上述した実施の形態において、軸部としての軸部２と、脚部としての脚部３とによってスペーサとしてのスペーサ１を構成するようにした場合について述べた。本発明はこれに限らず、その他種々の構成による軸部と、脚部とによって本発明のスペーサを構成しても良い。
【産業上の利用可能性】
【００５０】
本発明は、例えば建築現場で使用するスラブ鉄筋の下に使用されるスペーサに適用することができる。
【符号の説明】
【００５１】
１……スペーサ、２……軸部、３……脚部、９０……スラブ鉄筋、９９……鉄筋ユニット
【要約】      （修正有）【課題】安定性を高めることができ、横転の可能性を著しく軽減するスペーサを提供する。【解決手段】スペーサ１は、土間、スラブ工事の際に、鉄筋を格子状に組んで形成されるいわゆるスラブ鉄筋を組み上げるときに、かぶり厚さを確保するために使用される、バータイプのスペーサである。スペーサ１は、棒状の軸部２と、軸部２に連接され、軸部２を支える複数の脚部３とを有し、軸部２が折れ曲がっていることを特徴としている。【選択図】図１【図１】
0005756930.tif 000002
【図２】
0005756930.tif 000003
【図３】
0005756930.tif 000004